(57)【要約】【課題】画像表示装置を取り付けるための取付部材を遊技盤に簡単に取り付けることができる弾球遊技機を提供する。【解決手段】画像表示装置３０が、遊技盤１０の後面１０Ｂに締結固定された取付部材５０を介して遊技盤１０に設けられており、取付部材５０は、矩形枠状に形成されて開口１０ａを取り囲って設けられており、後面側に画像表示装置３０が取り付けられ、枠前面が遊技盤１０の後面１０Ｂに締結固定されている。そして、枠前面に形成された複数の締結座部５５，５５，…が遊技盤１０の後面１０Ｂに当接されるとともに遊技盤１０の後面１０Ｂに締結固定され、枠前面において複数の締結座部５５，５５，…を除く部分が遊技盤１０の後面１０Ｂから離れるように取付部材５０を形成している。【選択図】図４
2008161358.tif 000002
【特許請求の範囲】
【請求項１】
開口を有して前面に遊技領域が形成された遊技盤と、
前記遊技盤の後面側に設けられ、画像を表示する表示部を前記開口を通して前記遊技盤の前面側に臨ませる画像表示装置と、を有して構成される弾球遊技機において、
前記画像表示装置は、前記遊技盤の後面に締結固定された取付部材を介して前記遊技盤に設けられ、
前記取付部材は、矩形枠状に形成されて前記開口を取り囲って設けられ、枠前面に形成された複数の締結座部が前記遊技盤の後面に当接して前記遊技盤の後面に締結固定され、前記枠前面において前記複数の締結座部を除く部分が前記遊技盤の後面から離れるように形成されていることを特徴とする弾球遊技機。
【発明の詳細な説明】
【技術分野】
【０００１】
本発明は、演出用の画像を表示する画像表示装置を、遊技盤の後面に締結固定された取付部材を介して遊技盤の後面側に設けた構成の弾球遊技機に関する。
【背景技術】
【０００２】
パチンコ機に代表される弾球遊技機は、前面側に弾球遊技が展開される遊技領域が形成された遊技盤の中央部に開口が形成され、遊技盤の後面側に開口を覆って演出用の画像を表示する画像表示装置が設けられて構成されている。遊技者は、遊技盤の前面側から開口を通して画像表示装置の表示部を視認することができる。
【０００３】
従来、遊技盤の後面側に画像表示装置を設けるため、遊技盤後面の開口周縁部に締結固定された取付部材に対し、画像表示装置を着脱自在に取付可能に構成された弾球遊技機が知られている（例えば、特許文献１参照）。
【０００４】
図８には、遊技盤５１０の後面５１０Ｂに取り付けられた従来の取付部材５５０について、開口左縁部に配置された左枠部５５１を拡大して示している。取付部材５５０の左枠部５５１は、遊技盤５１０の後面５１０Ｂに前端辺縁５５１Ｃｃを当接させて開口の上下長さに合わせたサイズで上下に延びるフランジ部５５１Ｃを有しており、さらに、このフランジ部５５１Ｃには、ねじ止め固定用のビスを挿通させる挿通孔５５５ｂを有した複数のねじ止め座部５５５が互いに上下に離れて形成されている。ねじ止め座部５５５の挿通孔５５５ｂが開口する座面５５５ｃは、フランジ部５５１Ｃの前端辺縁５５１Ｃｃと同一面内にあり、座面５５５ｃおよび前端辺縁５５１Ｃｃを遊技盤５１０の後面５１０Ｂに沿わせて当接させ、ビスを各ねじ止め座部５５５の挿通孔５５５ｂに挿通して遊技盤５１０に螺入させることにより、遊技盤５１０の後面５１０Ｂに取付部材５５０がねじ止め固定されるようになっている。なお、この取付部材５５０においては、右側の枠部にも上記同様の構造が設けられている。
【０００５】
【特許文献１】特開２００５−５２４４８号公報
【発明の開示】
【発明が解決しようとする課題】
【０００６】
ところで、近年の弾球遊技機においては、演出効果を高めるために画像表示装置が大型化しており、これに伴って遊技盤の開口も大きくする必要がある。このように大きな開口の周縁に対して重量物となる画像表示装置が取り付けられることもあって、遊技盤５１０に反りが生じることもある。
【０００７】
反りが生じた遊技盤５１０に対して従来の取付部材５５０を取り付けるときには、遊技盤５１０の後面５１０Ｂにフランジ部５５１Ｃの前端辺縁５５１Ｃｃが遊技盤５１０の後面５１０Ｂに沿うように取付部材５５０を撓ませる必要があり、取付が難しくなっていた。そして、このように撓んだ状態で取付部材５５０が取り付けられるため、取付部材５５０に撓みに応じて余計な応力が発生し、耐久性に影響を与える等の不具合が生じるおそれがあった。また、このように撓んで取り付けられた取付部材５５０に対する画像表示装置の取付が難しくなるおそれがあった。
【０００８】
本発明は、このような問題に鑑みてなされたものであり、画像表示装置を取り付けるための取付部材を、遊技盤に対して簡単に取り付けることができる弾球遊技機を提供することを目的とする。
【課題を解決するための手段】
【０００９】
上記目的達成のため、本発明に係る弾球遊技機は、開口を有して前面に遊技領域が形成された遊技盤と、遊技盤の後面側に設けられ、画像を表示する表示部を開口を通して遊技盤の前面側に臨ませる画像表示装置と、を有して構成される弾球遊技機において、画像表示装置は、遊技盤の後面に締結固定された取付部材を介して遊技盤に設けられており、取付部材は、矩形枠状に形成されて開口を取り囲って設けられ、枠前面に形成された複数の締結座部が遊技盤の後面に当接して遊技盤の後面に締結固定され、枠前面において複数の締結座部を除く部分が遊技盤の後面から離れるように形成されている。
【発明の効果】
【００１０】
以上のように構成される本発明に係る弾球遊技機によると、締結座部のみが遊技盤に当接され、その他の部分が遊技盤から逃げる構造になっている。このため、遊技盤が反っているときにも、反りに応じた取付部材の撓みを小さくすることができるため、取付を簡単に行うことができ、また、耐久性が悪くなる等の不具合を解消することができる。同時に、撓みが小さい状態で取り付けられる取付部材に対し、画像表示装置を簡単に取り付けることができるようになる。
【発明を実施するための最良の形態】
【００１１】
以下、本発明の好ましい実施形態について図面を参照して説明する。まず、図１を参照して本発明に係る弾球遊技機の一例として示すパチンコ機ＰＭの全体構成について概要説明する。ここで、図１にパチンコ機ＰＭの正面図を示している。
【００１２】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠装置４を利用して外枠１に閉鎖施錠された状態で保持される。
【００１３】
前枠２には、前枠２の前側面域に合わせた方形状のガラス扉５と、球皿６ａを正面に設けた下部扉部材６とが、正面左側部に設けられたヒンジ機構７ａ，７ｂ，７ｃを利用して横開き開閉および着脱が可能に組み付けられ、下部扉部材６の正面側においては球皿６ａの右側下部に遊技球の発射操作を行うための操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持される。
【００１４】
遊技盤１０は、板厚19mm程度の積層合板を図示する所定形状に切断およびルータ加工して、所定の図柄が印刷されたセルを貼り付けて成形される化粧板１１を基板として構成されている。化粧板１１の前面には、上下２分割のレール飾り１２，１３がビス止めされており、内側に略円形の遊技領域ＰＡが区画形成され、遊技球発射装置（図示せず）から発射される遊技球を遊技領域ＰＡの上部に導く案内レール面１４，１５が形成される。遊技領域ＰＡの内側には多数本の遊技釘とともに、風車、始動入賞装置１７や大入賞装置１８等の各種入賞装置、後述するセンター飾り１００等の遊技構成部品が取り付けられ、下端部には各入賞装置に入賞することなく遊技領域ＰＡを転動落下した遊技球を回収するためのアウト口１９が設けられる（図６参照）。なお、この遊技領域ＰＡは、常には閉鎖保持されるガラス扉５を通して前面側から視認可能になっている。
【００１５】
以上のように構成されたパチンコ機ＰＭは、前枠２、ガラス扉５および下部扉部材６がともに閉止され施錠された状態で遊技に供され、球皿６ａに遊技球を貯留させて操作ハンドル８を回動操作することにより遊技が開始される。操作ハンドル８が回動操作されると、球皿６ａに貯留された遊技球が打球発射装置により１球ずつ遊技盤１０の遊技領域ＰＡに打ち出され、パチンコゲームが展開される。このパチンコゲームにおいては、遊技領域ＰＡ内を落下移動する遊技球を各入賞装置に遊技球を入球させる弾球遊技が行われ、遊技球が入賞装置に入球すると賞球としての遊技球が球皿６ａに払い出される。遊技球が始動入賞装置１７に入球したときには、大入賞装置１８の入賞口が開放されて遊技球を大入賞装置１８に入球可能な状態になる可能性があり、このような状態になると賞球を得る機会が増えて遊技者にとってゲームの展開が有利になる。
【００１６】
なお、図２に遊技盤１０の背面図を示しており、この図２を参照して遊技盤１０の後面側の構成について簡単に説明する。遊技盤１０の後面側には、パチンコ機ＰＭ全体の制御を行うための主制御基板を有した主基板アセンブリ２０や、遊技展開に応じた演出用の画像を表示するための画像表示装置３０が設けられている。なお、遊技盤１０の中央部には開口１０ａが形成されており、画像表示装置３０は、この開口１０ａを画像が表示される表示部３０ａで覆うようにして設けられ、開口１０ａを通して表示部３０ａを遊技盤１０の前面側から視認可能になっている（図１参照）。
【００１７】
遊技盤１０の後面１０Ｂには、開口１０ａの下方における左右両縁部に主基板取付部材４０，４０が取り付けられており、開口１０ａを取り囲うようにして枠状の表示装置取付部材５０が取り付けられている。主基板アセンブリ２０は、主基板取付部材４０，４０の後面に取り付けられており、主基板取付部材４０，４０を介して遊技盤１０に固定されている。また、画像表示装置３０は、表示装置取付部材５０の後面側から取り付けられており、表示装置取付部材５０を介して遊技盤１０に固定されている。
【００１８】
以降では、図２に併せて図３〜図５を参照して表示装置取付部材５０の構成について説明する。ここで、図３に遊技盤１０を後方から見た斜視図、図４に表示装置取付部材５０を構成する左枠部５１の形状を示した図３の拡大図、図５に図２の矢印V−V方向に見た遊技盤１０の左側断面図を示している。
【００１９】
この表示装置取付部材５０は、樹脂材料を用いた射出成形等によって一体的に成形されており、略矩形枠状に形成されて開口１０ａを取り囲んで設けられる上下左右の枠部５１〜５３（下枠部については図示略）と、左右の枠部５１，５２に形成された複数のねじ止め座部５５，５５，…とを有している。表示装置取付部材５０は、枠部の前面側を遊技盤１０の後面１０Ｂに対向させて遊技盤１０に取り付けられ、画像表示装置３０が枠部の後面側から取り付けられる。
【００２０】
図３〜図５に示すように左枠部５１は、この表示装置取付部材５０の後面を形成して上下に延びる後端壁部５１Ａと、後端壁部５１Ａの左右外端（左枠部５１において左端）縁から前方に延びて設けられる前後壁部５１Ｂと、前後壁部５１Ｂに対して左右外側（左枠部５１において左側）に延びて繋がりこの表示装置取付部材５０の前面を形成するフランジ部５１Ｃとを有している。フランジ部５１Ｃは、平断面視Ｌ字状に成形されて上下に延びており、前後壁部５１Ｂの前端縁から左右外側に延びる左右壁５１Ｃａと、左右壁５１Ｃａの左右外側縁から前方に延びてこの表示装置取付部材５０の前面および左右外端面を形成する前後壁５１Ｃｂとを有している。なお、図２に示すように、左枠部５１と右枠部５２とはほぼ左右対称形状になっており、右枠部５２についても、左枠部５１と同様にして後端壁部５２Ａ、前後壁部５２Ｂおよびフランジ部５２Ｃを有して構成されている。また、上枠部５３は左右の枠部５１，５２の上端同士を繋いで設けられ、下枠部は左右の枠部５１，５２の下端同士を繋いで設けられている。
【００２１】
後端壁部５１Ａには、上下２箇所において後方に突出して突起部５９が設けられている。すなわち突起部５９は、右枠部５２の後端壁部５２Ａに設けられたものと合わせて合計４箇所に設けられている。一方、画像表示装置３０には、この突起部５９に係合可能な係合孔を有した係止部３１が左右両側縁部のそれぞれに上下に離れて設けられている。この係止部３１の係合孔を突起部５９に係合させることにより、画像表示装置３０が４点で支持されて表示部３０ａで開口１０ａを覆うようにして、表示装置取付部材５０の後面に着脱自在に取り付けられる。また、前後壁部５１Ｂとフランジ部５１Ｃとの間には、直角三角形状の複数のリブ５１Ｄ，５１Ｄ，…が上下に並んで形成されており、これら２つの部位５１Ｂ，５１Ｃの補強が図られている。
【００２２】
フランジ部５１Ｃには、上下に分かれて４つのねじ止め座部５５，５５，…が形成されている。各ねじ止め座部５５は、フランジ部５１Ｃの前後壁５１Ｃｂが左右内側に抉られるように成形されて前後に延び、背面視半円形状の円筒壁部５５Ａを有している。ねじ止め座部５５には、この円筒壁部５５Ａに囲まれて前後に延びる半円筒空間５５ａが形成されている。さらに、ねじ止め座部５５は、この円筒壁部５５Ａの前端縁において半円筒空間５５ａを閉じるようにして設けられた半円形状の座面壁部５５Ｂを有している。結果、半円筒空間５５ａは、フランジ部５１Ｃの左右壁５１Ｃａに半円形状に開放され、フランジ部５１Ｃの前後壁５１Ｃｂに矩形状に開放されている。また、底面壁部５５Ｂには、前後に貫通して固定用のビス６０を挿通させるための挿通孔５５ｂが形成されている（図４においてビスは図示略）。座面壁部５５Ｂの前端面５５ｃは、フランジ部５１Ｃの前後壁５１Ｃｂの前端辺縁５１Ｃｃに対し、前方に突出された位置にある。また、図示略しているが、座面壁部５５Ｂの前端面５５ｃは、上枠部および下枠部の前端辺縁に対し、前方に突出された位置にある。
【００２３】
以上のように成形される表示装置取付部材５０を遊技盤１０の後面１０Ｂ側に取り付けるときには、まず、枠部５１〜５３を開口１０ａを取り囲うようにして所定位置にセットする。このとき、座面壁部５５Ｂの前端面５５ｃが遊技盤１０の後面１０Ｂに当接するが、フランジ部５１Ｃにおいてねじ止め座部５５，５５，…を除く部分については、前後壁５１Ｃｂの前端辺縁５１Ｃｃにおいても遊技盤１０の後面１０Ｂから離れた状態になる。次いで、ビス６０を、ねじ止め座部５５に形成された半円筒空間５５ａ内でセットし、挿通孔５５ｂに挿通させて遊技盤１０に螺入させる。これにより、表示装置取付部材５０が遊技盤１０の後面１０Ｂにねじ止め固定される。なお、半円筒空間５５ａは後面側および左右外端面側に開放されていることから、外部から半円筒空間５５ａ内へのアクセスが容易になっており、ビス６０のセットや螺入作業を行い易くなっている。
【００２４】
一方、遊技盤１０の前面側においては、図１に示すように開口１０ａを取り囲んで遊技構成部品の一つであるセンター飾り１００が取り付けられており、このセンター飾り１００の左右中央部に対して下方に位置して始動入賞装置１７や大入賞装置１８が取り付けられている。以降では、図１に併せて図６，図７を参照してセンター飾り１００の構成について簡単に説明する。ここで、図６には遊技盤１０を前方から見る斜視図、図７にはセンター飾り１００のステージ部周辺を示す図６の拡大図を示している。
【００２５】
センター飾り１００は、樹脂材料を用いた射出成形等により一体的に成形された種々の構成部材が組み付けられて構成されており、枠状に成形されて開口１０ａを取り囲んで設けられた枠部１１０と、枠部１１０の左枠内側辺部１１１に設けられ、枠部１１０の外側の遊技領域ＰＡを落下移動している遊技球を取り込んで枠部１１０に囲まれた内側領域（内部空間）１１０ａに導くワープ通路１２１を形成する通路形成部１２０と、枠部１１０の下側枠辺部１１２を構成し、ワープ通路１２１により内部空間１１０ａに入球した遊技球を左右に転動させた後に下方に落下させるステージ部１３０と、を有している。
【００２６】
枠部１１０には枠外側方向に延びるフランジ部１１５が形成されている。センター飾り１００は、枠部１１０を開口１０ａの内側に嵌め込んでフランジ部１１５を遊技盤１０の前面１０Ｆに当接させた状態にし、フランジ部１１５にビスを挿通して遊技盤１０の前面１０Ｆに固定されている。このようにしてセンター飾り１００が取り付けられ、内部空間１１０ａの内部に画像表示装置３０の表示部３０ａが配置される。
【００２７】
ステージ部１３０は、左右に指向するとともに上下に揺れる波状の転動面１３１ａを有した転動部１３１と、転動部１３１の後端を上下に延びる後端壁部１３２と、転動部１３１の前端を下方に延びる前端壁部１３３と、前端壁部の下端部から後方に延びる下端壁部１３４と、を有して枠部１１０の下枠内側辺部１１２を構成している。上記の通りセンター飾り１００は開口１０ａに嵌め込んで取り付けられるが、このとき、ステージ部１３０の下端壁部１３４の下面が開口１０ａの内縁下部に整合される。
【００２８】
転動部１３１の転動面１３１ａは、遊技球（直径約11mm）を転動させることができるだけの幅を有している。転動部１３１の前端には、上方に切り立った鍔部１３１ｂが設けられている。転動部１３１の転動面１３１ａがこの鍔部１３１ｂと後端壁部１３２とにより前後に囲まれて、転動部１３１の転動面１３１ａ上における遊技球の左右方向の転動が案内される。転動部１３１の転動面１３１ａを転動する遊技球は、この転動面１３１ａに沿って上り下りしながら左右に往復動し、移動速度を低下させて略停止する。
【００２９】
波状に形成される転動部１３１は、左右両端部および中央部に上方に隆起した山部１３１Ｕａ，１３１Ｕｂと、その間に下方に凹んだ谷部１３１Ｄａ，１３１Ｄｂとを有している。中央山部１３１Ｕａにおいて転動面には、後方に向かうに連れて下方へ傾斜する傾斜溝１３１ｃが形成されている。なお、後端壁部１３２には、この傾斜溝１３１ｃの後端に繋がる球通路１３５が形成されており、この球通路１３５は、前端壁部１３３において中央山部１３１Ｕａの直下に形成された開口１３３ａに繋がっている。このため、転動部１３１の転動面１３１ａを転動した遊技球のうち、中央山部１３１Ｕａで略停止した遊技球は、この傾斜溝１３１ｃに案内されて後方に導かれ、球通路１３５を通って前端壁部１３３の開口１３３ａから下方に落下する。この開口１３３ａの直下には始動入賞口１７が配置されているため、開口１３３ａから落下した遊技球のほとんどが始動入賞口１７に入球する。
【００３０】
一方、左右の谷部１３１Ｄａ，１３１Ｄｂにおいて転動面には、前方に向かうに連れて下方へ傾斜する傾斜溝１３１ｄが形成されている。なお、この傾斜溝１３１ｄの前端においては上記の鍔部１３１ｂが省略されている。このため、転動部１３１の転動面１３１ａを転動した遊技球のうち、谷部１３１Ｄａ，１３１Ｄｂで略停止した遊技球は、この傾斜溝１３１ｄに案内されて前方に導かれて下方に落下する。谷部１３１ｄから落下した遊技球は、各入賞装置１７，１８に入球する可能性が低くなるようにゲージ設定されており、そのほとんどがアウト口１９に入球する。
【００３１】
上記センター飾り１００においては、画像表示装置３０を装飾する機能を有しているとともに、転動部１３１で転動する遊技球が略停止される位置に応じて、遊技展開を有利なものに変化させることができるように構成された遊技構成部品となっている。
【００３２】
このように、本実施例の表示装置取付部材５０においては、ビス６０を挿通させる挿通孔５５ｂが形成されたねじ止め座部５５の座面壁部５５Ｂのみを遊技盤１０の後面１０Ｂに当接させ、フランジ部５１Ｃにおける他の部分については遊技盤１０の後面１０Ｂから逃がして取り付ける構造になっている。このため、遊技盤１０に反りが生じている状態においても、その反りに合わせてフランジ部５１Ｃの全体をこの後面１０Ｂにそのまま沿わせるようにして撓ませる必要がない。このように表示装置取付部材５０は、遊技盤１０の反りに対して撓みを小さくして取り付けることができるため、余計な応力が発生しなくなって耐久性が悪くなる等の不具合が解消される。同時に、このようにして取り付けられる表示装置取付部材５０に対し、画像表示装置３０も撓みを小さくして取り付けることができるようになり、取付作業を簡単に行うことができるようになる。
【００３３】
なお、本実施例では左右の枠部５１，５２にねじ止め座部５５を設けたが、ねじ止め座部５５の座面壁部５５Ｂの前端面５５ｃのみを遊技盤１０の後面１０Ｂに当接させる構造であれば、上下左右のいずれの枠部にねじ止め座部を形成してもよい。また、ビス止めに限らず、他のボルトおよびナットを用いるなどして他の締結方法によっても表示装置取付部材５０を固定することができる。なお、画像表示装置３０を表示装置取付部材５０の後面（後端壁部５１Ａ）から後方に突出する突起部５９に係合させて取り付ける構造例を開示したが、画像表示装置３０が表示装置取付部材５０に取り付けられて遊技盤１０の後面側に配置可能な構造であればよく、例えば左右の枠辺部５１、５２の内面に嵌合させて取り付け可能にするなど、他の取付構造としてもよい。
【００３４】
これまで、本発明に係る弾球遊技機の実施例としてパチンコ機ＰＭを例示したが、アレンジボール機や雀球遊技機など、他の弾球遊技機に対しても本発明を適用可能である。
【００３５】
以上説明した本発明の実施形態において達成される効果を整理すると、次のようになる。表示装置取付部材５０を遊技盤１０の後面１０Ｂに取り付けるにあたり、ねじ止め座部５５の座面壁部５５Ｂのみを後面１０Ｂに当接させてその他の部分については遊技盤１０の後面１０Ｂから逃がして取り付ける構成になっているため、遊技盤１０に反りが生じていても表示装置取付部材５０の撓みを抑えて取り付けることができるようになる。これにより、表示装置取付部材５０および画像表示装置３０の取付を簡単に行うことができ、表示装置取付部材５０の耐久性が悪くなる等の不具合を解消することができる。
【図面の簡単な説明】
【００３６】
【図１】本発明に係る弾球遊技機の一例として示すパチンコ機の正面図である。
【図２】上記パチンコ機に設けられた遊技盤の背面図である。
【図３】上記遊技盤を後方から見た斜視図である。
【図４】表示装置取付部材の左枠部を示す斜視図である。
【図５】図２の矢印V−V方向に見た遊技盤の左側断面図である。
【図６】上記遊技盤を前方から見た斜視図である。
【図７】センター飾りのステージ部周辺を示す斜視図である。
【図８】従来の取付部材の左枠部を示す斜視図である。
【符号の説明】
【００３７】
ＰＭ  パチンコ機
ＰＡ  遊技領域
１０  遊技盤
１０ａ  開口
３０  画像表示装置
３０ａ  表示部
５０  表示装置取付部材
５１  左枠部
５１Ｃ  フランジ部
５１Ｃｃ  前端辺縁
５２  右枠部
５５  ねじ止め座部
５５Ｂ  座面壁部
５５ｂ  挿通孔
５５ｃ  前端面
１００  センター飾り
【図１】
2008161358.tif 000003
【図２】
2008161358.tif 000004
【図３】
2008161358.tif 000005
【図４】
2008161358.tif 000006
【図５】
2008161358.tif 000007
【図６】
2008161358.tif 000008
【図７】
2008161358.tif 000009
【図８】
2008161358.tif 000010